(57)【要約】【課題】発呼局ファクシミリ識別信号を所定回数検出した後に被呼局識別信号を送出するようにして、ＩＰネットワーク側が発呼局ファクシミリ識別信号及び／又は被呼局識別信号を検出してＱｏＳ制御を確実に開始することができ、ＩＰネットワーク経由で高品質のファクシミリ通信を行うことができるようにする。【解決手段】呼出信号を検出して受信を開始するファクシミリ装置であって、送信側のファクシミリ装置が送出する発呼局ファクシミリ識別信号を検出する検出手段と、該検出手段が発呼局ファクシミリ識別信号を検出した後、所定期間をおいて被呼局識別信号を送出する送出手段と、を備える。【選択図】図１
2019096942.tif 000002
【特許請求の範囲】
【請求項１】
呼出信号を検出して受信を開始するファクシミリ装置であって、
送信側のファクシミリ装置が送出する発呼局ファクシミリ識別信号を検出する検出手段と、
該検出手段が発呼局ファクシミリ識別信号を検出した後、所定期間をおいて被呼局識別信号を送出する送出手段と、
を備えることを特徴とするファクシミリ装置。
【請求項２】
前記所定期間とは、発呼局ファクシミリ識別信号を所定回数検出するまでの期間である請求項１に記載のファクシミリ装置。
【請求項３】
前記送出手段は、前記検出手段が発呼局ファクシミリ識別信号を所定回数検出した後、次の発呼局ファクシミリ識別信号を検出するまでの時間に被呼局識別信号を送出する請求項２に記載のファクシミリ装置。
【請求項４】
前記所定期間とは、所定時間の経過である請求項１に記載のファクシミリ装置。
【請求項５】
前記発呼局ファクシミリ識別信号はＣＮＧ信号である請求項１〜４のいずれか１項に記載のファクシミリ装置。
【請求項６】
前記被呼局識別信号はＣＥＤ信号である請求項１〜５のいずれか１項に記載のファクシミリ装置。
【請求項７】
前記被呼局識別信号はＡＮＳａｍ信号である請求項１〜５のいずれか１項に記載のファクシミリ装置。
【請求項８】
前記発呼局ファクシミリ識別信号を検出することができない場合、前記呼出信号を検出して受信を開始してから所定時間が経過すると、前記送出手段は被呼局識別信号を送出する請求項１〜７のいずれか１項に記載のファクシミリ装置。
【発明の詳細な説明】
【技術分野】
【０００１】
本発明は、ファクシミリ装置に関するものである。
【背景技術】
【０００２】
近年、ＩＰ（Ｉｎｔｅｒｎｅｔ  Ｐｒｏｔｏｃｏｌ）ネットワークを利用したＩＰ電話が広く普及してきている。ＩＰ電話は、音声をＩＰパケットとして送る技術（ＶｏＩＰ：Ｖｏｉｃｅ  ｏｖｅｒ  Ｉｎｔｅｒｎｅｔ  Ｐｒｏｔｏｃｏｌ）を利用した通話手段である。このようなＩＰネットワークやＩＰ電話の整備及び普及を背景として、ＩＰネットワークに接続されたファクシミリ装置が増加し、ＩＰネットワークを経由したファクシミリ通信が増加してきている。
【０００３】
従来の公衆電話回線網を利用したファクシミリ通信では、必要な伝送路上の帯域が保証されているので、通信障害があまり発生しなかった。しかし、ＩＰネットワーク内では、転送されるパケットの通信速度が一定とは限らず、ネットワーク混雑や障害によって、転送されるパケットの受信側への到着タイミングに差（ゆらぎ）が発生する。このようなゆらぎの度合いが大きかったり、ＩＰネットワーク内でのパケット消失（パケットロス）が発生したりすると、受信側では、送信側の音声を正しく復元することができない場合があり、音声信号に瞬断が発生したものとして再生される。ＩＰネットワークのゆらぎやパケットロスによって発生した音声信号の瞬断は、ファクシミリ通信において通信障害発生の原因となる。
【０００４】
ＩＰネットワーク上の通信において、ある特定の通信のために、帯域を予約したり、パケットに優先度を付けたりして、特定の通信に対して一定の通信速度を保証するための技術として、ＱｏＳ（Ｑｕａｌｉｔｙ  ｏｆ  Ｓｅｒｖｉｃｅ）がある。手順信号や画像信号にリアルタイム性が必要であり、また、パケットロス等による瞬断に弱いファクシミリ通信に対して、ＱｏＳ制御を行うＩＰネットワークも多く存在する。ファクシミリ通信に対してＱｏＳ制御が行われれば、帯域保証や優先制御が行われるので、前述のようなパケットの遅延や消失による通信障害が発生しなくなる。
【０００５】
ＩＰネットワーク側は、ファクシミリ通信に対してＱｏＳ制御を行う場合に、受信側のファクシミリ装置が最初に送出するＣＥＤ信号や送信側のファクシミリ装置が最初に送出するＣＮＧ信号の検出をもって、ＱｏＳ制御開始のトリガとするのが一般的である。
【０００６】
一方、送信側のファクシミリ装置は、ＣＥＤ信号を検出するとＣＮＧ信号の送出を停止するのが一般的である。しかし、ＩＰネットワーク側は、ＣＮＧ信号のみをＱｏＳ制御のトリガとしている場合、ＣＮＧ信号の停止が早過ぎると、ＣＮＧ信号を検出することができないときがある。これにより、ＩＰネットワーク側はＱｏＳ制御を行うことができず、パケットの遅延や消失による通信障害が発生するという問題がある。
【０００７】
そこで、ＩＰネットワーク側のＱｏＳ機能を動作させるべく、信号の送出タイミングを制御する技術が提案されている（例えば、特許文献１参照。）。この場合、ＩＰネットワーク側がＱｏＳ制御のトリガとしているＣＮＧ信号の送出タイミングを、送信側のファクシミリ装置において制御するようになっている。
【先行技術文献】
【特許文献】
【０００８】
【特許文献１】特開２０１３−２２５９３９号公報
【発明の概要】
【発明が解決しようとする課題】
【０００９】
しかしながら、前記従来の技術においては、送信側のファクシミリ装置が送出するＣＮＧ信号と受信側のファクシミリ装置が送出するＣＥＤ信号とが衝突し、ＩＰネットワーク側でＣＮＧ信号を正しく検出することができず、ＩＰネットワーク側のＱｏＳ機能が動作しない場合がある。
【００１０】
また、ＩＰネットワーク側がＣＥＤ信号のみをＱｏＳ制御のトリガとしている場合には、同様な理由によって、ＩＰネットワーク側でＣＥＤ信号を正しく検出することができず、ＩＰネットワーク側のＱｏＳ機能が動作しない場合がある。
【００１１】
本発明は、前記従来の問題点を解決して、発呼局ファクシミリ識別信号を所定回数検出した後に被呼局識別信号を送出するようにして、ＩＰネットワーク側が発呼局ファクシミリ識別信号及び／又は被呼局識別信号を検出してＱｏＳ制御を確実に開始することができ、ＩＰネットワーク経由で高品質のファクシミリ通信を行うことができるファクシミリ装置を提供することを目的とする。
【課題を解決するための手段】
【００１２】
そのために、本発明のファクシミリ装置においては、呼出信号を検出して受信を開始するファクシミリ装置であって、送信側のファクシミリ装置が送出する発呼局ファクシミリ識別信号を検出する検出手段と、該検出手段が発呼局ファクシミリ識別信号を検出した後、所定期間をおいて被呼局識別信号を送出する送出手段と、を備える。
【発明の効果】
【００１３】
本発明によれば、ファクシミリ装置においては、発呼局ファクシミリ識別信号を所定回数検出した後に被呼局識別信号を送出するようになっている。これにより、ＩＰネットワーク側が発呼局ファクシミリ識別信号及び／又は被呼局識別信号を検出してＱｏＳ制御を確実に開始することができ、ＩＰネットワーク経由で高品質のファクシミリ通信を行うことができる。
【図面の簡単な説明】
【００１４】
【図１】本発明の実施の形態におけるファクシミリ装置が接続されたネットワークの概略構成図である。
【図２】本発明の実施の形態におけるファクシミリ装置の構成を示すブロック図である。
【図３】本発明の実施の形態におけるファクシミリ装置の制御機能の構成を示すブロック図である。
【図４】従来の技術における通信障害が発生する過程を示すシーケンス図である。
【図５】本発明の実施の形態におけるファクシミリ装置を使用して通信障害を回避する過程を示すシーケンス図である。
【図６】本発明の実施の形態におけるファクシミリ装置のファクシミリ通信時の動作を示すフローチャートである。
【発明を実施するための形態】
【００１５】
以下、本発明の実施の形態について図面を参照しながら詳細に説明する。
【００１６】
図１は本発明の実施の形態におけるファクシミリ装置が接続されたネットワークの概略構成図である。
【００１７】
図において、１１Ａ〜１１Ｄは本実施の形態における非音声端末としてのファクシミリ装置であり、ファクシミリ通信が可能な装置であればいかなる種類の装置であってもよく、例えば、ファクシミリ機能、複写機能、プリンタ機能、スキャナ機能等の機能を併せ持つ複合機等であってもよいが、ここでは、一般的なファクシミリ装置であるものとして説明する。また、ファクシミリ装置１１Ａ〜１１Ｄを統合的に説明する場合には、ファクシミリ装置１１として説明する。
【００１８】
図に示される例において、ファクシミリ装置１１Ａ及び１１Ｂは、公衆電話回線網１５にファクシミリ通信可能に接続されている。該公衆電話回線網１５は、加入電話回線交換網であって、一義的には、電話機等の音声端末を接続し、回線交換方式で送信側と受信側の音声端末を接続して音声データを授受するためのネットワークである。なお、前記公衆電話回線網１５に接続されるファクシミリ装置１１は、いくつであってもよいが、ここでは、ファクシミリ装置１１Ａ及び１１Ｂが前記公衆電話回線網１５に接続されているものとする。
【００１９】
また、ファクシミリ装置１１Ｃ及び１１Ｄは、それぞれ、ＶｏＩＰルータ１８Ａ及び１８Ｂを介して、ＩＰネットワーク１６にファクシミリ通信可能に接続されている。該ＩＰネットワーク１６は、インターネットや大多数の商用ネットワークで稼動し、パケットを中継する通信プロトコルであるインターネット・プロトコル・スイート（Ｉｎｔｅｒｎｅｔ  Ｐｒｏｔｏｃｏｌ  Ｓｕｉｔｅ）を利用して相互接続されたコンピュータネットワークである。ＶｏＩＰルータ１８Ａ及び１８Ｂは、それぞれ、ファクシミリ装置１１Ｃ及び１１ＤとＩＰネットワーク１６とを接続し、ファクシミリ装置１１Ｃ及び１１Ｄから送信された音声信号をアナログ−デジタル変換し、符号化してパケットに分割し、ＩＰネットワーク１６へ送信する。また、該ＩＰネットワーク１６から送信されたパケット信号を組み立てて復号化し、デジタル−アナログ変換して、音声信号としてファクシミリ装置１１Ｃ及び１１Ｄへ送信する。なお、ＶｏＩＰルータ１８Ａ及び１８Ｂを統合的に説明する場合には、ＶｏＩＰルータ１８として説明する。また、前記ＩＰネットワーク１６に接続されるファクシミリ装置１１は、いくつであってもよいが、ここでは、ファクシミリ装置１１Ｃ及び１１Ｄが前記ＩＰネットワーク１６に接続されているものとする。
【００２０】
そして、公衆電話回線網１５とＩＰネットワーク１６とは、ＶｏＩＰゲートウェイ１７を介して、接続されている。該ＶｏＩＰゲートウェイ１７は、公衆電話回線網１５から送信された音声信号をアナログ−デジタル変換し、符号化してパケットに分割し、ＩＰネットワーク１６へ送信する。また、該ＩＰネットワーク１６から送信されたパケット信号を組み立てて復号化し、デジタル−アナログ変換して、音声信号として公衆電話回線網１５へ送信する。これにより、公衆電話回線網１５及びＩＰネットワーク１６に接続されたファクシミリ装置１１は、相互にファクシミリ通信を行うことができる。
【００２１】
前記ＶｏＩＰゲートウェイ１７及びＶｏＩＰルータ１８は、ＩＰネットワーク１６上でのファクシミリ通信に対して、ＱｏＳ制御を行うために被呼局である受信側のファクシミリ装置１１が最初に送出するＣＥＤ信号、及び／又は、発呼局である送信側のファクシミリ装置１１が最初に送出するＣＮＧ信号を検出し、ＱｏＳ制御開始のトリガとする。ここで、ＣＥＤ信号は、被呼局を識別するため被呼局識別信号とも呼ばれ、２１００〔Ｈｚ〕のトーン信号である。また、ＣＮＧ信号は、発呼局が非音声端末であることを示す発呼局ファクシミリ識別信号で、１１００〔Ｈｚ〕のトーン信号である。
【００２２】
次に、前記ファクシミリ装置１１の構成について説明する。
【００２３】
図２は本発明の実施の形態におけるファクシミリ装置の構成を示すブロック図である。
【００２４】
図に示されるように、ファクシミリ装置１１は、ＣＰＵ２１、ＲＯＭ２２、ＲＡＭ２３、読取装置２４、印刷装置２５、通信装置２６及び操作表示装置２７を有する。なお、各装置は通信回線としてのシステムバス２８を介して通信可能に接続されている。
【００２５】
ＣＰＵ２１は、中央処理装置であって、ファクシミリ装置１１全体の制御を行う。
【００２６】
システムバス２８は、ファクシミリ装置１１を構成するハードウェアを制御する。
【００２７】
ＲＯＭ２２は、記憶装置であり、ＣＰＵ２１によって実行されるソフトウェアであるプログラムをあらかじめ格納する。該プログラムには、後述されるフローチャートで説明する動作をファクシミリ装置１１に実行させるソフトウェアも含まれている。
【００２８】
ＲＡＭ２３は、記憶装置であり、ＣＰＵ２１によるプログラムの実行時に発生するデータを記憶する。
【００２９】
読取装置２４は、ＣＣＤ等の画像読取素子を利用した一種のスキャナ装置であり、原稿の画像を読み取ってドットイメージデータに変換する。
【００３０】
印刷装置２５は、インクジェット方式、電子写真方式、感熱記録方式等の画像形成方式によって印刷用紙等の媒体に画像を形成する一種のプリンタ装置であり、ファクシミリ通信で相手先のファクシミリ装置１１から受信した画像データ等をハードコピーとして出力する。
【００３１】
通信装置２６は、モデム（変復調装置）、ＮＣＵ（網制御装置）等を含み、ファクシミリ伝送制御手順による手順データや画像データを変復調し、相手先のファクシミリ装置１１との間でデータの授受を行う。ファクシミリ装置１１Ａ及び１１Ｂは、通信装置２６を介して、公衆電話回線網１５に接続され、ファクシミリ装置１１Ｃ及び１１Ｄは、通信装置２６を介して、ＶｏＩＰルータ１８Ａ及び１８Ｂに接続されている。
【００３２】
操作表示装置２７は、液晶表示装置等の表示装置及びスピーカ等の音響装置を含み、ＣＰＵ２１から入力される表示信号の指示に従って表示装置の画面上に、各種の操作ボタン、画像の状態、各機能の動作状況等のファクシミリ装置１１の状態を表示したり、音響装置から音声出力を行う。また、操作表示装置２７は、操作に必要な数字キー（テンキー）、スタートキー、ファンクションキー、カーソルキー等の各種の操作キーを備える。
【００３３】
次に、前記構成のファクシミリ装置１１を制御機能の観点から見た構成について説明する。
【００３４】
図３は本発明の実施の形態におけるファクシミリ装置の制御機能の構成を示すブロック図である。
【００３５】
図において、３０は、ファクシミリ装置１１の各部の動作を制御する制御部であって、ＲＯＭ２２に含まれ、ＣＰＵ２１によって実行されるソフトウェアである。そして、制御部３０は、システム制御部３１、操作表示制御部３２、読取制御部３３、印刷制御部３４、画像データ処理部３５、ファクシミリ制御部３６、ＣＮＧ検出部３７、ＣＥＤ送出部３８及びタイマ監視部３９を含んでいる。
【００３６】
システム制御部３１は、システムとしてのファクシミリ装置１１内における各資源の管理を行い、制御プログラムの起動や調停を行う。
【００３７】
操作表示制御部３２は、操作表示装置２７を制御し、ユーザインターフェイスを実行する。
【００３８】
読取制御部３３は、読取装置２４を制御し、原稿の読み取りに関する一連の動作を実行する。
【００３９】
印刷制御部３４は、印刷装置２５を制御し、ファクシミリ受信画像やファクシミリ装置１１に関する各種帳票類を印刷する一連の動作を実行する。
【００４０】
画像データ処理部３５は、ファクシミリ符号化データの圧縮及び／又は伸長処理、並びに、ファクシミリ符号化データをパーソナルコンピュータ等の情報処理端末で表示可能なビットマップ画像ファイル等へ変換する変換処理を実行する。
【００４１】
ファクシミリ制御部３６は、通信装置２６を介して、公衆電話回線網１５及び／又はＶｏＩＰルータ１８との間で呼の確立と開放処理、並びに、ファクシミリ装置１１同士の間でのＩＴＵ−Ｔ勧告Ｔ．３０に準拠したファクシミリ伝送制御手順及びファクシミリ画像の授受を実行する。
【００４２】
ＣＮＧ検出部３７は、発呼局ファクシミリ識別信号を検出する検出手段であって、ファクシミリ制御部３６によって受信時に起動され、通信装置２６を制御し、ＣＮＧ信号の検出を行う。
【００４３】
ＣＥＤ送出部３８は、被呼局識別信号を送出する送出手段であって、ファクシミリ制御部３６によって受信時に起動され、通信装置２６を制御し、ＣＥＤ信号又はＡＮＳａｍ信号の送出を行う。該ＡＮＳａｍ信号は、被呼局を識別するため被呼局識別信号の一例であり、２１００〔Ｈｚ〕を１５〔Ｈｚ〕で振幅変調したトーン信号である。
【００４４】
タイマ監視部３９は、ファクシミリ制御部３６によってＣＮＧ検出処理と同時に起動され、ＣＮＧ信号が送出されない場合にファクシミリ受信の機会損失を防止する目的で、ＣＮＧ信号を未検出の状態が所定時間以上継続しているか否かを計測する。
【００４５】
このように、本実施の形態において、ファクシミリ装置１１は、公衆電話回線網１５又はＶｏＩＰルータ１８からの呼出信号を検出して受信を開始する装置であって、送信側のファクシミリ装置１１が送出する発呼局ファクシミリ識別信号を検出するＣＮＧ検出部３７と、ＣＮＧ検出部３７が発呼局ファクシミリ識別信号を所定回数検出した後、被呼局識別信号を送出するＣＥＤ送出部３８と、を備える。
【００４６】
そして、ＣＥＤ送出部３８は、ＣＮＧ検出部３７が発呼局ファクシミリ識別信号を所定回数検出した後、次の発呼局ファクシミリ識別信号を検出するまでの時間に被呼局識別信号を送出する。なお、所定回数は複数である。
【００４７】
また、ファクシミリ装置１１は、発呼局ファクシミリ識別信号を所定回数検出した後、次の発呼局ファクシミリ識別信号を検出するまでの時間を計測するタイマ監視部３９を備える。
【００４８】
さらに、発呼局ファクシミリ識別信号を検出することができない場合、呼出信号を検出して受信を開始してから所定時間が経過すると、ＣＥＤ送出部３８は被呼局識別信号を送出する。
【００４９】
次に、前記構成のファクシミリ装置１１の動作について説明する。
【００５０】
図４は従来の技術における通信障害が発生する過程を示すシーケンス図、図５は本発明の実施の形態におけるファクシミリ装置を使用して通信障害を回避する過程を示すシーケンス図、図６は本発明の実施の形態におけるファクシミリ装置のファクシミリ通信時の動作を示すフローチャートである。
【００５１】
比較のために、「背景技術」の項で説明した従来の技術において、通信障害が発生する過程を説明する。図４は、ファクシミリ通信を開始した場合に、ＩＰネットワーク１６側としてのＶｏＩＰゲートウェイ１７及び／又はＶｏＩＰルータ１８がＣＮＧ信号を検出することができなかったために発生する通信障害の過程を、送信／受信信号の様子から時系列的に示している。
【００５２】
送信側のファクシミリ装置１１は、回線を捕捉し、受信側のファクシミリ装置１１の電話番号をダイヤルする。ダイヤル終了後、送信側のファクシミリ装置１１は、任意のタイミングでＣＮＧ信号を送出する。
【００５３】
受信側のファクシミリ装置１１は、公衆電話回線網１５又はＶｏＩＰルータ１８からの呼出信号を検出すると、任意のタイミングで回線を捕捉し、ＣＥＤ信号を送出し、その後、ＤＩＳ信号を送出する。該ＤＩＳ信号は、デジタル識別信号であって、受信側のファクシミリ装置１１の機能を送信側のファクシミリ装置１１に伝えるための信号である。
【００５４】
なお、各信号は、ＩＴＵ−Ｔ勧告Ｔ．３０によって、以下の（１）〜（３）のように規定されている。
（１）ＣＮＧ信号：周波数１１００〔Ｈｚ〕±３８〔Ｈｚ〕のトーン信号であり、信号送出時間０．５秒±１５〔％〕、送出間隔３秒±１５〔％〕の繰り返し。
（２）ＣＥＤ信号：周波数２１００〔Ｈｚ〕±１５〔Ｈｚ〕のトーン信号であり、信号送出時間２．６秒以上４．０秒以下。
（３）ＣＥＤ信号とＤＩＳ信号の送出間隔：７５±２０ミリ秒。
【００５５】
ここで、「背景技術」の項で説明した従来の技術においては、送信側のファクシミリ装置１１がＣＮＧ信号の送出を停止するタイミングを、ＣＥＤ信号を検出したタイミングではなく、ＤＩＳ信号のフラグ又はフレームを検出したタイミングに切り替えている。そのため、図４に示されるように、ＣＮＧ信号がＣＥＤ信号及びＤＩＳ信号と衝突し、ＩＰネットワーク１６側、すなわち、ＶｏＩＰゲートウェイ１７及び／又はＶｏＩＰルータ１８は、ＣＮＧ信号を検出することができず、ＱｏＳ制御を開始することができない。これにより、パケットの遅延や消失による音声信号の瞬断等が発生し、通信障害が発生する。なお、図４において、ＣＥＤ信号及びＤＩＳ信号内の模様の付いた部分は、音声信号上で発生した瞬断等を表している。
【００５６】
これに対し、本実施の形態においては、図５に示されるように通信が行われるので、ＶｏＩＰゲートウェイ１７及び／又はＶｏＩＰルータ１８はＱｏＳ制御を開始することができ、通信障害の発生が回避される。
【００５７】
図５において、送信側のファクシミリ装置１１は、回線を捕捉し、受信側のファクシミリ装置１１の電話番号をダイヤルする。ダイヤル終了後、送信側のファクシミリ装置１１は、任意のタイミングでＣＮＧ信号の送出を開始する。
【００５８】
受信側のファクシミリ装置１１は、公衆電話回線網１５又はＶｏＩＰルータ１８からの呼出信号を検出すると任意のタイミングで回線を捕捉し、ＣＮＧ信号待ちタイマを起動し、ＣＮＧ信号の検定を開始する。そして、ＣＮＧ信号を所定回数検出した後、又は、ＣＮＧ信号を検出してから一定時間経過した後に、ＣＮＧ信号の送出間隔（３秒±１５〔％〕）内に収まるようにＣＥＤ信号を送出する。すなわち、最初のＣＮＧ信号を検出した後、所定期間をおいてＣＮＧ信号の送出間隔内に収まるようにＣＥＤ信号を送出する。これにより、ＩＰネットワーク１６側、すなわち、ＶｏＩＰゲートウェイ１７及び／又はＶｏＩＰルータ１８は、ＣＮＧ信号及び／又はＣＥＤ信号を検出することができ、ＱｏＳ制御を開始することができる。そして、それ以降のファクシミリ通信が正常に行われる。なお、図５に示されるＤＣＳは、ＤＩＳ信号によって受信側のファクシミリ装置１１の機能が伝えられた送信側のファクシミリ装置１１が、実際に利用する機能を受信側のファクシミリ装置１１に伝えるための信号である。
【００５９】
次に、本実施の形態における受信側のファクシミリ装置１１がファクシミリ通信を開始する際の動作を説明する。この場合、受信側のファクシミリ装置１１の動作は、制御部３０によって制御され、前記ファクシミリ装置１１に着信があることを伝える公衆電話回線網１５又はＶｏＩＰルータ１８からの呼出信号を検出した場合に開始される。
【００６０】
まず、ステップＳ１で、ファクシミリ制御部３６は回線捕捉処理を実行する。該回線捕捉処理によって、送信側のファクシミリ装置１１と受信側のファクシミリ装置１１との間で通信路が確立される。
【００６１】
続いて、ステップＳ２で、ファクシミリ制御部３６は、タイマ監視部３９にＣＥＤ送出待ちタイマの起動を実行させる。すると、タイマ監視部３９はＣＥＤ送出待ちタイマによる計測を実行する。そして、ＣＥＤ送出待ちタイマが満了すると、タイマ監視部３９は、ＣＥＤ送出待ちタイマの満了をファクシミリ制御部３６に通知する。
【００６２】
ここで、前記ＣＥＤ送出待ちタイマが計測する時間、すなわち、満了となるまでの時間は、回線捕捉から正常に信号検出が可能となるまでの回線安定時間と、ＣＮＧ信号の１サイクル時間（信号送出時間の最大値＋送出間隔の最大値）との合計であって、本実施の形態においては、
０．５秒＋０．５７５秒＋３．４５秒＝４．５２５秒
であるものとする。なお、前記回線安定時間は、システム及び回線環境によって変動するため、ユーザによる変更が可能なシステム設定値とすることが望ましい。
【００６３】
続いて、ステップＳ３で、ファクシミリ制御部３６は、ＣＮＧ検出部３７にＣＮＧ信号検定の開始を実行させる。すると、ＣＮＧ検出部３７は、ＣＮＧ信号の検定処理を実行し、ＣＮＧ信号を検出すると、ファクシミリ制御部３６へＣＮＧ信号の検出を通知する。そして、ＣＮＧ検出部３７は、ファクシミリ制御部３６からＣＮＧ検定終了の指示を受けるまで、ＣＮＧ信号の検定処理を継続する。
【００６４】
続いて、ステップＳ４で、ファクシミリ制御部３６は、ＣＮＧを検出したか否かを判断する。これにより、ファクシミリ制御部３６は、ステップＳ３で開始されたＣＮＧ検出部３７が実行するＣＮＧ信号検定処理の結果を判定する。そして、ＣＮＧ信号を検出した場合にはステップＳ５に進み、ＣＮＧ信号を検出していない場合にはステップＳ９に進む。
【００６５】
ステップＳ５で、ファクシミリ制御部３６は、ＣＮＧ検出回数がシステムで規定した回数以上であるか否かを判断する。これにより、ファクシミリ制御部３６は、ＣＮＧ検出部３７によって行われたＣＮＧ信号の検出回数を判定する。ここで、前記規定した回数、すなわち、所定回数は１以上であればいくつであってもよく、本実施の形態においては、回線捕捉後、ＩＰネットワーク１６側が確実にＣＮＧ信号を検出することができるように、２であるものとする。そして、ＣＮＧ検出回数が規定した回数以上である場合にはステップＳ６に進み、ＣＮＧ検出回数が規定した回数未満である場合にはステップＳ９に進む。
【００６６】
ステップＳ６で、ファクシミリ制御部３６は、タイマ監視部３９にＣＥＤ送出待ちタイマの停止を実行させる。
【００６７】
また、ステップＳ９で、ファクシミリ制御部３６は、タイマ監視部３９にＣＥＤ送出待ちタイマが満了であるか否かを判断させる。すなわち、タイマ監視部３９は、ステップＳ２で起動させたＣＥＤ送出待ちタイマの計測時間が満了したか否かを判断する。そして、満了している場合にはステップＳ６に進み、満了していない場合にはステップＳ４に戻り、以降の動作を繰り返す。
【００６８】
続いて、ステップＳ７で、ファクシミリ制御部３６は、ＣＮＧ検出部３７にＣＮＧ信号検定の停止を実行させる。
【００６９】
最後に、ステップＳ８で、ファクシミリ制御部３６によって起動されたＣＥＤ送出部３８は、ＣＥＤの送出を実行する。具体的には、ＣＥＤ送出部３８は、システム設定に従って、ＣＥＤ信号又はＡＮＳａｍ信号を送出する。
【００７０】
これにより、制御部３０は、フローチャートに示されるようなファクシミリ通信を開始する際の処理を終了し、通常のファクシミリ受信処理へ移行する。
【００７１】
なお、本実施の形態においては、ステップＳ５でＣＮＧ信号の検出回数を判定しているが、ＩＰネットワーク１６側でＣＮＧ信号の検出が十分可能な時間経過後としてもよい。
【００７２】
次に、フローチャートについて説明する。
ステップＳ１  ファクシミリ制御部３６は回線捕捉処理を実行する。
ステップＳ２  ファクシミリ制御部３６はタイマ監視部３９にＣＥＤ送出待ちタイマの起動を実行させる。
ステップＳ３  ファクシミリ制御部３６はＣＮＧ検出部３７にＣＮＧ信号検定の開始を実行させる。
ステップＳ４  ファクシミリ制御部３６はＣＮＧを検出したか否かを判断する。ＣＮＧを検出した場合はステップＳ５に進み、ＣＮＧを検出していない場合はステップＳ９に進む。
ステップＳ５  ファクシミリ制御部３６はＣＮＧ検出回数がシステムで規定した回数以上であるか否かを判断する。ＣＮＧ検出回数がシステムで規定した回数以上である場合はステップＳ６に進み、ＣＮＧ検出回数がシステムで規定した回数未満である場合はステップＳ９に進む。
ステップＳ６  ファクシミリ制御部３６はタイマ監視部３９にＣＥＤ送出待ちタイマの停止を実行させる。
ステップＳ７  ファクシミリ制御部３６はＣＮＧ検出部３７にＣＮＧ信号検定の停止を実行させる。
ステップＳ８  ファクシミリ制御部３６によって起動されたＣＥＤ送出部３８は、ＣＥＤの送出を実行する。
ステップＳ９  ファクシミリ制御部３６はタイマ監視部３９にＣＥＤ送出待ちタイマが満了であるか否かを判断させる。ＣＥＤ送出待ちタイマが満了している場合はステップＳ６に進み、ＣＥＤ送出待ちタイマが満了していない場合はステップＳ４に戻る。
【００７３】
このように、本実施の形態においては、受信側のファクシミリ装置１１が、回線捕捉後にＣＥＤ信号の送出開始を遅延させ、ＣＮＧ信号とＣＥＤ信号との衝突を回避することによって、ＩＰネットワーク１６側でＣＮＧ信号の検出が可能となるので、ＣＮＧ信号のみをＱｏＳ制御のトリガとしているＩＰネットワーク１６であっても、ＱｏＳ制御を適切に実行することができる。
【００７４】
また、受信側のファクシミリ装置１１が、ＣＮＧ信号の送出間隔時間内に収まるようにＣＥＤ信号を送出するので、ＩＰネットワーク１６側でＣＥＤ信号の検定が可能となり、ＣＥＤ信号のみをＱｏＳ制御のトリガとしているＩＰネットワーク１６であっても、ＱｏＳ制御を適切に実行することができる。
【００７５】
これにより、ファクシミリ通信の品質を維持することができるという効果がある。
【００７６】
なお、本実施の形態においては、ファクシミリ装置１１に適用した場合について説明したが、ファクシミリ通信機能を備えた複合機にも適用することができる。
【００７７】
また、本発明は前記実施の形態に限定されるものではなく、本発明の趣旨に基づいて種々変形させることが可能であり、それらを本発明の範囲から排除するものではない。
【産業上の利用可能性】
【００７８】
本発明は、ファクシミリ装置に利用することができる。
【符号の説明】
【００７９】
１１、１１Ａ、１１Ｂ、１１Ｃ、１１Ｄ    ファクシミリ装置
３７    ＣＮＧ検出部
３８    ＣＥＤ送出部
３９    タイマ監視部
【図１】
2019096942.tif 000003
【図２】
2019096942.tif 000004
【図３】
2019096942.tif 000005
【図４】
2019096942.tif 000006
【図５】
2019096942.tif 000007
【図６】
2019096942.tif 000008